(57)【要約】      （修正有）【課題】従来のサポートに、構造的な技術と工夫を行うことで、ステーとサポートとで発生するガタ／共振を防止し、車内の静寂、快適性を確保し、かつ自励振動によるガタと振動減衰を図る。【解決手段】ステーを弾性的に支持し、本体部の外側寸法を、下方から上方に向かって太くしたテーパー形成のサポートＣにおいて、サポートをブラケットに抜差し自在に設け、かつ本体部３の側面に二枚構造の弾性片を設け、弾性片に異なる方向の振動衰退手段を設けるサポートとし、胴体（本体部）の傾斜化でブラケットへの抜差し容易化と、ブラケットとの相性の向上化、が達成できる。【選択図】図２−１
2015193356.tif 000002
【特許請求の範囲】
【請求項１】
ヘッドレストステーを、弾性的に支持し、かつ本体部の外側寸法を、下方から上方に向かって、順次、太くすることでテーパーに形成したヘッドレストサポートにおいて、  このヘッドレストサポートを、方形状のブラケットに、抜差し自在に設けるとともに、前記弾性的に支持するために、前記本体部の側面に、二枚構造の弾性片を設けるとともに、この弾性片に、異なる方向の振動衰退手段を設ける構成としたヘッドレストサポート。
【請求項２】
前記弾性片に、異なる方向の振動衰退手段を設ける構造であり、外側に位置する第１弾性片が、外側に向かって、中心部を膨出して形成した正山形形状とし、内側に位置する第２弾性片が、内側に向かって、中心部を膨出して形成した逆山形形状とし、たことを特徴とする構成とした請求項１に記載のヘッドレストサポート。
【請求項３】
前記第１・第２弾性片は、扁平板状とすることを特徴とする構成とした請求項２に記載のヘッドレストサポート。
【請求項４】
前記第１・第２弾性片は、第１弾性片の反発力＞第２弾性片の反発力の関係とすることを特徴とする構成とした請求項２に記載のヘッドレストサポート。
【請求項５】
前記第１・第２弾性片は、第１弾性片の反発力＜第２弾性片の反発力の関係とすることを特徴とする構成とした請求項２に記載のヘッドレストサポート。
【請求項６】
前記第１・第２弾性片は、第１弾性片の反発力＝第２弾性片の反発力の関係とすることを特徴とする構成とした請求項２に記載のヘッドレストサポート。
【請求項７】
前記弾性片を構成する、第１弾性片と、第２弾性片との間に、差渡し弾性片を、一条、又は数条設けることを特徴とする構成とした請求項１に記載のヘッドレストサポート。
【請求項８】
前記差渡し弾性片は、前記第１弾性片、及び／又は、第２弾性片に対して、細い帯状とする構成とした請求項４に記載のヘッドレストサポート。
【請求項９】
前記第１弾性片、及び／又は、前記第２弾性片には、波形の曲面形状を備えることを特徴とする構成とした請求項４に記載のヘッドレストサポート。
【請求項１０】
前記第１弾性片、及び／又は、前記第２弾性片が、テーパー形状の本体部の外側に突出することを特徴とする構成とした請求項４に記載のヘッドレストサポート。  
【発明の詳細な説明】
【技術分野】
【０００１】
本発明は、車輌のヘッドレストサポート（以下、サポートとする）に関する。
【背景技術】
【０００２】
このサポートとヘッドレストステー（以下、ステーとする）及びブラケットの相互間に発生するガタ防止を、図るために、本出願人は、幾多の出願（発明）をした。その発明の中で、複数が、製品化されている。  
【０００３】
しかし、昨今のユーザからの要望と、社会情勢から、更なるガタ防止が要望されている。この要望に応えるために、既に、出願済である。例えば、特願２０１３−２３０８４８号である。  
【０００４】
今回の出願は、先願の改良であり、かつ下記の文献（１）の改良である。  
【０００５】
文献（１）は、特開２０１２−２１８４５８号公報に記載された、通常時において、シート共振の改善のため、バネ定数を低減しても、後突時には、ムチ打ち症を抑制できるバネ定数の増大が図れる自動車用ヘッドレスト支持装置を提案する。構成は、自動車用ヘッドレスト支持装置において、サポートとブラケット（ヘッドレストブラケット）との間、ステー挿通孔（ヘッドレストステー挿通孔）のステーとサポートとの間、又はステー挿通孔のステーとブラケットとの間、の少なくとも、何れかの１つの部位に、ブラケットの上下方向端部に対応する部位で車輌前後方向部位に、ダイラタント特性を有する可撓性部材（バネ、バネ素材等）を配置した構造である。しかしながら、この発明は、ヘッドレストの振動防止に留まっていると考えられる。  
【０００６】
【特許文献１】特開２０１２−２１８４５８号公報
【発明の概要】
【発明が解決しようとする課題】
【０００７】
少なくとも、文献（１）では、ステーとサポート、並びにブラケットとの公差等で発生する問題点、即ち、車内の静寂確保、快適性確保とか、サポートの共振効果による静寂化、快適化、並びに自励振動による減衰、等に関しては、十分とは考えられない。
【課題を解決するための手段】
【０００８】
上記に鑑み、本発明は、従来のサポートに、構造的な技術と工夫を行うことで、ステーとサポートとで発生するガタ／共振防止効果を達成し、もって、車内の静寂確保、快適性確保、を図り、かつ自励振動によるガタと振動減衰を図ることを意図する。また、サポートの胴体（本体部）の傾斜化でブラケットへの抜差し（挿入と、脱外）容易化と、ブラケットとの相性の向上化を図ることを意図する。  
【０００９】
そのために、本発明は、後述する請求項１〜請求項１０を提案する。
【発明の効果】
【００１０】
請求項１の発明は、ステーを、弾性的に支持し、かつ本体部の外側寸法を、下方から上方に向かって、順次、太くすることでテーパーに形成したサポートにおいて、  サポートを、方形状のブラケットに、抜差し自在に設けるとともに、本体部の側面に、二枚構造の弾性片を設けるとともに、弾性片に、異なる方向の振動衰退手段を設ける構成としたサポートとしたので、胴体（本体部）の傾斜化でブラケットへの抜差し容易化（組立て／交換等作業の軽荷重、容易化、或いは疲労軽減化）が達成できる。また、車内の静寂確保、快適性確保等が図れ、かつ自励振動によるガタ防止と振動減衰が図れる特徴がある。  
【００１１】
請求項２の発明では、弾性片に、異なる方向の振動衰退手段を設ける構造であり、外側に位置する第１弾性片が、外側に向かって、中心部を膨出して形成した正山形形状とし、内側に位置する第２弾性片が、内側に向かって、中心部を膨出して形成した逆山形形状とし、たことを特徴とする構成としたサポートとしたので、請求項１の効果に準ずる効果が期待できるとともに、前記従来のサポートに、構造的な技術と工夫を行うことで、従来の技術と経験を基にして達成できる。   
【００１２】
請求項３の発明では、第１・第２弾性片は、扁平板状とすることを特徴とする構成としたサポートとしたので、前記請求項１と同じ効果が可能となる。  
【００１３】
請求項４の発明では、第１・第２弾性片は、第１弾性片の反発力＞第２弾性片の反発力の関係とすることを特徴とする構成としたサポートとしたので、前記請求項１を凌駕する効果が可能となる。  
【００１４】
請求項５の発明では、前記第１・第２弾性片は、第１弾性片の反発力＜第２弾性片の反発力の関係とすることを特徴とする構成としたサポートとしたので、前記請求項１を凌駕する効果が可能となる。  
【００１５】
請求項６の発明では、第１・第２弾性片は、第１弾性片の反発力＝第２弾性片の反発力の関係とすることを特徴とする構成としたサポートとしたので、前記請求項１の効果が可能となる。  
【００１６】
請求項７の発明は、弾性片を構成する、第１弾性片と、第２弾性片との間に、差渡し弾性片を、一条、又は数条設けることを特徴とする構成としたサポートとしたので、前記請求項１を凌駕する効果が可能となる。  
【００１７】
請求項８の発明は、差渡し弾性片は、第１弾性片、及び／又は、第２弾性片に対して、細い帯状とすることを特徴とする構成としたサポートとしたので、前記請求項１を凌駕する効果と、製造の容易化が可能となる。  
【００１８】
請求項９の発明は、第１弾性片、及び／又は、前記第２弾性片には、波形の曲面形状を備えることを特徴とする構成としたサポートとしたので、前記請求項１を凌駕する効果と、車内の一層の静寂性が可能となる。  
【００１９】
請求項１０の発明は、第１弾性片、及び／又は、第２弾性片が、テーパー形状の本体部の外側に突出することを特徴とする構成としたサポートとしたので、前記請求項１を凌駕する効果と、組付け作業、及び／又は、ヘッドレストの取扱い等の容易化が可能となる。
【図面の簡単な説明】
【００２０】
【図１−１】シートに、サポートとアッパフレーム、及びストレート形状ブラケット、並びにヘッドレストとを、備えた構造の分解縮尺斜視図
【図１−２】図１−１のストレート形状ブラケットに代替したテーパー形状ブラケットを示した要部の縮尺斜視図
【図２−１】第１実施例（走行方向の左右側の上下に弾性片を備えた）を示したサポート全体の正面図
【図２−２】第１実施例を示したサポート全体の左側面図
【図２−３】図２−１のＡ−Ａ断面図
【図２−４】第１実施例の他の例を示したサポート全体の左側面図
【図２−５】第１実施例の別の例を示したサポート全体の左側面図
【図３−１】第２実施例を示したサポート全体の正面図
【図３−２】第２実施例を示したサポート全体の左側面図
【図３−３】図３−１のB−B断面図
【図３−４】第２実施例の他の例を示したサポート全体の左側面図
【図３−５】第２施例の別の例を示したサポート全体の左側面図
【図４−１】各実施例の第１弾性片と第２弾性片との組合せ例Ａ−１を示した要部の拡大断面図（第１弾性片と第２弾性片とが、本体部に一体成形される構造である「Ｂ〜Ｄの各実施例も同じ」）
【図４−２−１】各実施例の第１弾性片と第２弾性片、並びに差渡し弾性片との組合せ例Ａ−２−１を示した要部の拡大断面図
【図４−２−２】各実施例の第１弾性片と第２弾性片、並びに差渡し弾性片との組合せ例Ａ−２−２を示した要部の拡大断面図（差渡し弾性片が図４−２−１の反対傾斜）
【図４−２−３】各実施例の第１弾性片と第２弾性片、並びに差渡し弾性片との組合せ例Ａ−２−３を示した要部の拡大断面図
【図４−２−４】各実施例の第１弾性片と第２弾性片、並びに差渡し弾性片との組合せ例Ａ−２−４を示した要部の拡大断面図（差渡し弾性片が図４−２−３の反対傾斜）
【図４−２−５】各実施例の第１弾性片と第２弾性片、並びに差渡し弾性片との組合せ例Ａ−２−５を示した要部の拡大断面図
【図４−２−６】各実施例の第１弾性片と第２弾性片、並びに差渡し弾性片との組合せ例Ａ−２−６を示した要部の拡大断面図（差渡し弾性片が図４−２−５の反対傾斜）
【図４−２−７】各実施例の第１弾性片と第２弾性片、並びに差渡し弾性片との組合せ例Ａ−２−７を示した要部の拡大断面図
【図４−２−８】各実施例の第１弾性片と第２弾性片、並びに差渡し弾性片との組合せ例Ａ−２−８を示した要部の拡大断面図（差渡し弾性片が図４−２−７の反対傾斜）
【図４−２−９】各実施例の第１弾性片と第２弾性片、並びに差渡し弾性片との組合せ例Ａ−２−９を示した要部の拡大断面図
【図４−２−１０】各実施例の第１弾性片と第２弾性片、並びに差渡し弾性片との組合せ例Ａ−２−１０を示した要部の拡大断面図
【図４−２−１１】各実施例の第１弾性片と第２弾性片、並びに差渡し弾性片との組合せ例Ａ−２−１１を示した要部の拡大断面図（差渡し弾性片が図４−２−１０の反対傾斜）
【図４−２−１２】各実施例の第１弾性片と第２弾性片、並びに差渡し弾性片との組合せ例Ａ−２−１２を示した要部の拡大断面図（中央の差渡し弾性片が二本タイプ）
【図４−２−１３】各実施例の第１弾性片と第２弾性片、並びに差渡し弾性片との組合せ例Ａ−２−１３を示した要部の拡大断面図（上下の差渡し弾性片が二本タイプ）
【図４−２−１４】各実施例の第１弾性片と第２弾性片、並びに差渡し弾性片との組合せ例Ａ−２−１４を示した要部の拡大断面図（中央の差渡し弾性片が波形形状）
【図４−２−１５】各実施例の第１弾性片と第２弾性片、並びに差渡し弾性片との組合せ例Ａ−２−１５示した要部の拡大断面図（上下の差渡し弾性片が波形形状）
【図４−２−１６】図４−１−１の実施例において、第１弾性片と第２弾性片とを、本体部の開口に差込み式とする拡大断面図（Ｂ〜Ｄの各実施例も同じ）
【図５−１】各実施例の第１弾性片と第２弾性片との組合せ例Ｂ−１を示した要部の拡大断面図
【図５−２−１】各実施例の第１弾性片と第２弾性片、並びに差渡し弾性片との組合せ例Ｂ−２−１を示した要部の拡大断面図
【図５−２−２】各実施例の第１弾性片と第２弾性片、並びに差渡し弾性片との組合せ例Ｂ−２−２を示した要部の拡大断面図（差渡し弾性片が図５−２−１の反対傾斜）
【図５−２−３】各実施例の第１弾性片と第２弾性片、並びに差渡し弾性片との組合せ例Ｂ−２−３を示した要部の拡大断面図
【図５−２−４】各実施例の第１弾性片と第２弾性片、並びに差渡し弾性片との組合せ例Ｂ−２−４を示した要部の拡大断面図（差渡し弾性片が図５−２−３の反対傾斜）
【図５−２−５】各実施例の第１弾性片と第２弾性片、並びに差渡し弾性片との組合せ例Ｂ−２−５を示した要部の拡大断面図
【図５−２−６】各実施例の第１弾性片と第２弾性片、並びに差渡し弾性片との組合せ例Ｂ−２−６を示した要部の拡大断面図（差渡し弾性片が図５−２−５の反対傾斜）
【図５−２−７】各実施例の第１弾性片と第２弾性片、並びに差渡し弾性片との組合せ例Ｂ−２−７を示した要部の拡大断面図
【図５−２−８】各実施例の第１弾性片と第２弾性片、並びに差渡し弾性片との組合せ例Ｂ−２−８を示した要部の拡大断面図（差渡し弾性片が図５−２−７の反対傾斜）
【図５−２−９】各実施例の第１弾性片と第２弾性片、並びに差渡し弾性片との組合せ例Ｂ−２−９を示した要部の拡大断面図
【図５−２−１０】各実施例の第１弾性片と第２弾性片、並びに差渡し弾性片との組合せ例Ｂ−２−１０を示した要部の拡大断面図
【図５−２−１１】各実施例の第１弾性片と第２弾性片、並びに差渡し弾性片との組合せ例Ｂ−２−１１を示した要部の拡大断面図（差渡し弾性片が図５−２−１０の反対傾斜）
【図５−２−１２】各実施例の第１弾性片と第２弾性片、並びに差渡し弾性片との組合せ例Ｂ−２−１２を示した要部の拡大断面図（中央の差渡し弾性片が二本タイプ）
【図５−２−１３】各実施例の第１弾性片と第２弾性片、並びに差渡し弾性片との組合せ例Ｂ−２−１３を示した要部の拡大断面図（上下の差渡し弾性片が二本タイプ）
【図５−２−１４】各実施例の第１弾性片と第２弾性片、並びに差渡し弾性片との組合せ例Ｂ−２−１４を示した要部の拡大断面図（中央の差渡し弾性片が波形形状）
【図５−２−１５】各実施例の第１弾性片と第２弾性片、並びに差渡し弾性片との組合せ例Ｂ−２−１５を示した要部の拡大断面図（上下の差渡し弾性片が波形形状）
【図６−１】各実施例の第１弾性片と第２弾性片との組合せ例Ｃ−１を示した要部の拡大断面図
【図６−２−１】各実施例の第１弾性片と第２弾性片、並びに差渡し弾性片との組合せ例Ｃ−２−１を示した要部の拡大断面図
【図６−２−２】各実施例の第１弾性片と第２弾性片、並びに差渡し弾性片との組合せ例Ｃ−２−２を示した要部の拡大断面図（差渡し弾性片が図６−２−１の反対傾斜）
【図６−２−３】各実施例の第１弾性片と第２弾性片、並びに差渡し弾性片との組合せ例Ｃ−２−３を示した要部の拡大断面図
【図６−２−４】各実施例の第１弾性片と第２弾性片、並びに差渡し弾性片との組合せ例Ｃ−２−４を示した要部の拡大断面図（差渡し弾性片が図６−２−３の反対傾斜）
【図６−２−５】各実施例の第１弾性片と第２弾性片、並びに差渡し弾性片との組合せ例Ｃ−２−５を示した要部の拡大断面図
【図６−２−６】各実施例の第１弾性片と第２弾性片、並びに差渡し弾性片との組合せ例Ｃ−２−６を示した要部の拡大断面図（差渡し弾性片が図６−２−５の反対傾斜）
【図６−２−７】各実施例の第１弾性片と第２弾性片、並びに差渡し弾性片との組合せ例Ｃ−２−７を示した要部の拡大断面図
【図６−２−８】各実施例の第１弾性片と第２弾性片、並びに差渡し弾性片との組合せ例Ｃ−２−８を示した要部の拡大断面図（差渡し弾性片が図６−２−７の反対傾斜）
【図６−２−９】各実施例の第１弾性片と第２弾性片、並びに差渡し弾性片との組合せ例Ｃ−２−９を示した要部の拡大断面図
【図６−２−１０】各実施例の第１弾性片と第２弾性片、並びに差渡し弾性片との組合せ例Ｃ−２−１０を示した要部の拡大断面図
【図６−２−１１】各実施例の第１弾性片と第２弾性片、並びに差渡し弾性片との組合せ例Ｃ−２−１１を示した要部の拡大断面図（差渡し弾性片が図６−２−１０の反対傾斜）
【図６−２−１２】各実施例の第１弾性片と第２弾性片、並びに差渡し弾性片との組合せ例Ｃ−２−１２を示した要部の拡大断面図（中央の差渡し弾性片が二本タイプ）
【図６−２−１３】各実施例の第１弾性片と第２弾性片、並びに差渡し弾性片との組合せ例Ｃ−２−１３を示した要部の拡大断面図（上下の差渡し弾性片が二本タイプ）
【図６−２−１４】各実施例の第１弾性片と第２弾性片、並びに差渡し弾性片との組合せ例Ｃ−２−１４を示した要部の拡大断面図（中央の差渡し弾性片が波形形状）
【図６−２−１５】各実施例の第１弾性片と第２弾性片、並びに差渡し弾性片との組合せ例Ｃ−２−１５を示した要部の拡大断面図（上下の差渡し弾性片が波形形状）
【図７−１】各実施例の第１弾性片と第２弾性片との組合せ例Ｄ−１を示した要部の拡大断面図
【図７−２−１】各実施例の第１弾性片と第２弾性片、並びに差渡し弾性片との組合せ例Ｄ−２−１を示した要部の拡大断面図
【図７−２−２】各実施例の第１弾性片と第２弾性片、並びに差渡し弾性片との組合せ例Ｄ−２−２を示した要部の拡大断面図（差渡し弾性片が図７−２−１の反対傾斜）
【図７−２−３】各実施例の第１弾性片と第２弾性片、並びに差渡し弾性片との組合せ例Ｄ−２−３を示した要部の拡大断面図
【図７−２−４】各実施例の第１弾性片と第２弾性片、並びに差渡し弾性片との組合せ例Ｄ−２−４を示した要部の拡大断面図（差渡し弾性片が図７−２−３の反対傾斜）
【図７−２−５】各実施例の第１弾性片と第２弾性片、並びに差渡し弾性片との組合せ例Ｄ−２−５を示した要部の拡大断面図
【図７−２−６】各実施例の第１弾性片と第２弾性片、並びに差渡し弾性片との組合せ例Ｄ−２−６を示した要部の拡大断面図（差渡し弾性片が図７−２−５の反対傾斜）
【図７−２−７】各実施例の第１弾性片と第２弾性片、並びに差渡し弾性片との組合せ例Ｄ−２−７を示した要部の拡大断面図
【図７−２−８】各実施例の第１弾性片と第２弾性片、並びに差渡し弾性片との組合せ例Ｄ−２−８を示した要部の拡大断面図（差渡し弾性片が図７−２−７の反対傾斜）
【図７−２−９】各実施例の第１弾性片と第２弾性片、並びに差渡し弾性片との組合せ例Ｄ−２−９を示した要部の拡大断面図
【図７−２−１０】各実施例の第１弾性片と第２弾性片、並びに差渡し弾性片との組合せ例Ｄ−２−１０を示した要部の拡大断面図
【図７−２−１１】各実施例の第１弾性片と第２弾性片、並びに差渡し弾性片との組合せ例Ｄ−２−１１を示した要部の拡大断面図（差渡し弾性片が図７−２−１０の反対傾斜）
【図７−２−１２】各実施例の第１弾性片と第２弾性片、並びに差渡し弾性片との組合せ例Ｄ−２−１２を示した要部の拡大断面図（中央の差渡し弾性片が二本タイプ）
【図７−２−１３】各実施例の第１弾性片と第２弾性片、並びに差渡し弾性片との組合せ例Ｄ−２−１３を示した要部の拡大断面図（上下の差渡し弾性片が二本タイプ）
【図７−２−１４】各実施例の第１弾性片と第２弾性片、並びに差渡し弾性片との組合せ例Ｄ−２−１４を示した要部の拡大断面図（中央の差渡し弾性片が波形形状）
【図７−２−１５】各実施例の第１弾性片と第２弾性片、並びに差渡し弾性片との組合せ例Ｄ−２−１５を示した要部の拡大断面図（上下の差渡し弾性片が波形形状）
【図８−１】図５−２−４、又は図５−２−５に示した一体性の成形の実施例の別の例の拡大断面図
【図８−２】図８−１において、第１・２弾性片と、差渡し弾性片とでなる振動減衰手段を、本体部とは、別部品で、かつ別素材で形成し、本体部に取付け自在に設けた全体の左側面図
【図８−２−１】図８−２の要部をさらに拡大した断面図
【図８−３】図８−２の一部欠截の正面図
【図８−４−１】図８−２の振動減衰手段の一例を示した要部をさらに拡大した正面図（台形差込み片を利用して本体部に取付け自在に設けた拡大正面図）で、全体（全周辺）に隙間ありの図
【図８−４−２】図８−２の振動減衰手段の一例を示した要部をさらに拡大した正面図で、全体に隙間なしの図
【図８−５−１】図８−２の振動減衰手段の他の一例を示した要部をさらに拡大した正面図（方形差込み片を利用して本体部に取付け自在に設けた拡大正面図）で、全体に隙間ありの図
【図８−５−２】図８−２の振動減衰手段の一例を示した要部をさらに拡大した正面図で、全体に隙間なしの図
【図９−１】第１・２弾性片と、差渡し弾性片とでなる振動減衰手段を、本体部とは、別部品で、かつ別素材で形成し、方形差込み片を利用して本体部に取付け自在に設けた左側面図
【図９−２】図９−１の要部の正面図
【図１０−１】第１・２弾性片と、差渡し弾性片とでなる振動減衰手段を、本体部とは、別部品で、かつ別素材で形成し、台形差込み片を利用して本体部に取付け自在に設けた左側面図
【図１０−２】図１０−１の正面図
【図１１−１】第２弾性片の横断面形状を示した例１の図
【図１１−２】第２弾性片の横断面形状を示した例２の図
【図１１−３】第２弾性片の横断面形状を示した例３の図
【図１１−４】第２弾性片の横断面形状を示した例４の図
【図１１−５】第２弾性片の横断面形状を示した例５の図
【図１２】第１・第２弾性片と、差渡し弾性片との各組合せ構造を表とした図、Ａ〜Ｄは構造の種類の文字（共通構成）、Ｎｏ．１〜Ｎｏ．１６は装備した状態の番号を示している
【発明を実施するための形態】
【００２１】
図１において、Ａはシート、Ｂはアッパフレームに設けたブラケット、Ｃはサポート、Ｄはヘッドレスト、Ｅはステーを示している。  
【００２２】
このサポートＣは、各実施例に、共通の構成を説明すると、図示しない操作ボタンが挿入される開口部１００を、図２−２において、手前側から奥側に設けた頭部１と、この頭部１の下に繋がる首部２と、下方Ｃ１より上方Ｃ２に向かって、順に、大径となる（太くする）ことで、例えば、方形状のテーパー（図２−１）に形成した本体部３（下方Ｃ１の径＜上方Ｃ２の径となる）と、萎む裾部４とで構成するとともに、首部２から本体部３を経由して裾部４に貫通する貫通孔５を有する。この本体部３のテーパー形状は、肉厚の薄厚で形成する構成であって、製作の容易化、弾性付与と、型抜き容易化、軽量化と、また、ブラケットＢへの挿入の容易化、簡略化、並びに迅速化等を図る。サポートＣの略全体を隠蔽する（サポートＣの本体部３で、フック６より下を除く）ストレート形状（図１−１）のブラケットＢにおいてはブラケットＢへの差入れ時、又は図示の如く、差入れが終了に、ブラケットＢの内壁Ｂ１と、サポートＣの外周面Ｃ３（本体部３の外壁３００「側面」）との間に、隙間（図示しない）が形成される。  
【００２３】
サポートＣには、少なくとも、本体部３の外側に向かった山形形状の第１弾性片１０（第１スプリング）と、同内側に向かった弦形状の第２弾性片１１（第２スプリング）とを備えた振動衰退手段が設けられる。以下、好ましい、各例を順に、説明する。  
【００２４】
図４−１〜図４−２−１５（Ａ−１〜Ａ−２−１５）に示した構造は、サポートＣの本体部３の側面の上段３ａと下段３ｂの開口３０１、３０２に、それぞれ第１弾性片１０（スプリング帯体）と、第２弾性片１１（スプリング帯体）とを設けるが（第１弾性片１０と第２弾性片１１とが、本体部に一体成形される構造である「Ｂ〜Ｄの各実施例も同じであり省略する」）、本体部３の外側方向３−１が、第１弾性片１０であり、内側方向３−２が、第２弾性片１１である。このＡ例では、第１弾性片１０と第２弾性体１１とが、サポートＣの貫通孔５の略内線５ａを基点として、分岐基端部１０−１が直線で、均等に、第１弾性片１０と第２弾性片１１が分岐（均等分岐）され、かつ肉厚が、第１弾性片１０＝第２弾性体１の関係であれば、同等な弾性担持力（バランス力）が掛る。一方、肉厚が、第１弾性片１０≧第２弾性体１の関係であれば、不均等な弾性担持力（アンバランス力）であり、第１弾性片１０への
負担が掛ることが特徴である。そして、この弾性担持力により、振動限定が図れる。以下、各実施例を説明するが、好ましい一例であり、限定されない。尚、第１弾性片１０と第２弾性片１１とが、本体部３の開口３０１、３０２に、それぞれ差込み支持される構造である（図８−２−１〜図８−５−２と、図９−１、図９−２等と同じ）。  
【００２５】
図４−１では、第１弾性片１０の、両分岐部１０ａが、内線５ａから膨らみ、両裾部１０ｂが、上り山肌となり、かつ頂上部１０ｃが、三角形状に突出した形状となり、山形形状である。一方、第２弾性片１１は、両分岐部１１ａが、内線５ａから膨らみ、両弦部１１ｂが、凹凸襞状となり、かつ中心部１１ｃが、上下方向において大きな長さ円弧形状の突出した形状となり、弦形状である。そして、頂上部１０ｃの三角形状の突出と、中心部１１ｃの円弧形状の突出との復元性、並びに第１弾性片１０の三角形状の突出と、第２弾性片１１の弦形状との復元性が確保できる。従って、第１弾性片１０が、ブラケットＢで内側に押圧されるが、第１弾性片１０の復元性で、ブラケットＢとサポートＣとの、図示しないが、緊張感（Ｘ）が確保できる。また、第２弾性片１１が、ステーＥで外側に押圧されるが、第２弾性片１１の復元性で、サポートＣとステーＥとの、図示しないが、緊張感（Ｙ）が確保できる。この緊張感（Ｘ）と緊張感（Ｙ）とによりガタ防止が図れる。  
【００２６】
図４−２−１〜図４−２−１５では、第１弾性片１０と開口３０１ａ、３０１ｂ、３０２ａ、３０２ｂとの間、第１弾性片１０と第２弾性片１１との間に設けた差渡し弾性片１２（スプリング帯体）、或いは図示しないが、第１弾性片１０と差渡し弾性片１２との間で、かつどれかの差渡し弾性片１２と他の差渡し弾性片１２との間等に設けた差渡し弾性片１２とにより、さらにガタ防止と、この第１・第２弾性片１０、１１の復元性を補填する。また、この差渡し弾性片１２はヒューズ設計となり、ショーショットとしての役割があり、有益性と、作業の利便性が確保できる。  
【００２７】
図４−２−１は、第１弾性片１０と開口３０１ａ、３０１ｂ、３０２ａ、３０２ｂとの間、第１弾性片１０と第２弾性片１１との間に設けた上下と中央の差渡し弾性片１２の構造であり、中央の差渡し弾性片１２が、第１弾性片１０の頂上部１０ｃの上側で、第２弾性片１１の中心部１１ｃの下側にある傾斜状である。差渡し弾性片１２は、第１弾性片１０と第２弾性片１１との復元性を補完する（中心の傾斜した差渡し弾性片１２「上下の差渡し弾性片１２も同じ」は、第１弾性片１０の上側と、第２弾性片１１の下側が、→イ、ロに引張られることで、→ハの如く、引張られるが、この差渡し弾性片１２の復元力と、第１弾性片１０と、第２弾性片１１との自己復元力で、速やかに復帰する。即ち、振動衰退手段である）。振動衰退手段のフル装備の構造である。  
【００２８】
図４−２−２は、中央（中心）の差渡し弾性片１２が、第１弾性片１０の頂上部１０ｃの下側で、第２弾性片１１の中心部１１ｃの上側にある傾斜状である。その他は、図４−２−１に略準ずる。  
【００２９】
図４−２−３は、中央の差渡し弾性片１２に、さらに第１弾性片１０と分岐基端部１０−１との間に、上下の差渡し弾性片１２を設け、続いてさらに、上下の差渡し弾性片１２、１２と、この分岐基端部１０−１との間に、補助の差渡し弾性片１２、１２（スプリング帯体）を設けた構造である。その他は、その他は、図４−２−１の構造に、略準ずる。  
【００３０】
図４−２−４は、中央の差渡し弾性片１２の傾斜を、図４−２−３と逆とする構造である。その他は、図４−２−１の構造に、略準ずる。  
【００３１】
図４−２−５は、第１弾性片１０と分岐基端部１０−１との間に、上下の差渡し弾性片１２をそれぞれ傾斜状に配置し、かつ中央の差渡し弾性片１２が、第１弾性片１０の頂上部１０ｃの上側で、第２弾性片１１の中心部１１ｃの下側にある傾斜状である。その他は、図４−２−３の構造に、略準ずる。  
【００３２】
図４−２−６は、中央の差渡し弾性片１２が、第１弾性片１０の頂上部１０ｃの下側で、第２弾性片１１の中心部１１ｃの上側にある傾斜状である。その他は、図４−２−５に略準ずる。  
【００３３】
図４−２−７は、図４−２−３の中央の差渡し弾性片１２をなくした構造である。その他は、図４−２−３の構造に、略準ずる。  
【００３４】
図４−２−８は、第１弾性片１０と分岐基端部１０−１との間に、上下の差渡し弾性片１２をそれぞれ傾斜状に配置した構造である。その他は、図４−２−５の構造に、略準ずる。  
【００３５】
図４−２−９は、第１弾性片１０と開口３０１ａ、３０１ｂ、３０２ａ、３０２ｂとの間に、上下の差渡し弾性片１２をそれぞれ傾斜状に配置した構造である。その他は、図４−１の構造に、略準ずる。  
【００３６】
図４−２−１０は、第１弾性片１０の頂上部１０ｃの上側と、第２弾性片１１の中心部１１ｃの下側との間に、中央の差渡し弾性片１２を傾斜状に設けた構造である。その他は、前述の図４−１（中央の差渡し弾性片１２を備えた例）に略準ずる。  
【００３７】
図４−２−１１は、第１弾性片１０の頂上部１０ｃの下側と、第２弾性片１１の中心部１１ｃの上側との間に、中央の差渡し弾性片１２を傾斜状に設けた構造である。その他は、前述の図４−２−１０に略準ずる。  
【００３８】
図４−２−１２は、第１弾性片１０の頂上部１０ｃの上側と、第２弾性片１１の中心部１１ｃの下側との間に、中央の差渡し弾性片１２を、二枚形態で、それぞれ傾斜状に配置した構造である。その他は、前述の図４−２−１に略準ずる。  
【００３９】
図４−２−１３は、第１弾性片１０と開口３０１ａ、３０１ｂ、３０２ａ、３０２ｂとの間に、上下の差渡し弾性片１２を、二枚形態で、それぞれ傾斜状に配置した構造である。その他は、前述の図４−２−１等（上下の差渡し弾性片１２を備えた例）に略準ずる。  
【００４０】
図４−２−１４は、中央の差渡し弾性片１２が、第１弾性片１０の頂上部１０ｃの上側で、第２弾性片１１の中心部１１ｃの下側にある傾斜状の構造において、この差渡し片１３を、凹凸襞状とした構造である。その他は、前述の図４−２−１に略準ずる。  
【００４１】
図４−２−１５は、第１弾性片１０と開口３０１、３０２との間に、上下の差渡し弾性片１２でも、凹凸襞状とした構造も可能である。その他は、前述の図４−２−９に略準ずる。  
【００４２】
図４−２−１６は、第１・２弾性片１０、１１と開口３０１ａ、３０１ｂ、３０２ａ、３０２ｂに、それぞれ差込み係止する例であり、図４−２−１の実施例に準ずる。  
【００４３】
図５−１〜図５−２−１５（Ｂ−１〜Ｂ−２−１５）に示した構造は、サポートＣに設けた第１弾性片１０と第２弾性片１１の形態は、図４−１〜図４−２−１４に準ずる。このＢ例では、第１弾性片１０と第２弾性体１１とが、サポートＣの貫通孔５の略内線５ａを基点として、分岐基端部１０−１が内側曲り形状で、第１弾性片１０が左寄り分岐で、かつ肉厚が、第１弾性片１０＝第２弾性体１の関係であっても、不均等な弾性担持力（バランス力）で、第２弾性片１１への負担が掛る。一方、肉厚が、第１弾性片１０≧第２弾性体１の関係であれば、略均等な弾性担持力（アンバランス力）であり、第１弾性片１０と第２弾性体１１に均等な負担が掛ることが特徴である。そして、この弾性担持力により、振動限定が図れる。以下、各実施例は、好ましい一例であり、限定されない。  
【００４４】
そして、この図５−１〜図５−２−１５に示した各実施態様は、前述した、図４−１〜図４−２−１５に示した各実施態様と同じであり、省略する。  
【００４５】
図６−１〜図６−２−１５（Ｃ−１〜Ｃ−２−１５）に示した構造は、サポートＣに設けた第１弾性片１０と第２弾性片１１の形態は、図４−１〜図４−２−１４に準ずる。このＣ例では、第１弾性片１０と第２弾性体１１とが、サポートＣの貫通孔５の略内線５ａを基点として、分岐基端部１０−１が、僅か外側曲り形状で、第２弾性片１１が右寄り分岐で、かつ肉厚が、第１弾性片１０＝第２弾性体１の関係であっても、不均等な弾性担持力（アンバランス力）で、第２弾性片１１への負担が掛る。一方、肉厚が、第１弾性片１０≧第２弾性体１の関係であれば、第１弾性片１０と第２弾性片１１に略均等な弾性担持力（バランス力）に均等な負担が掛ることが特徴である。以下、各実施例は、好ましい一例であり、限定されない。  
【００４６】
そして、この図６−１〜図６−２−１５に示した各実施態様は、前述した、図４−１〜図４−２−１５に示した各実施態様と同じであり、省略する。  
【００４７】
図７−１〜図７−２−１５（D−１〜D−２−１５）に示した構造は、サポートＣに設けた第１弾性片１０の配置形態は、前述の各実施例、例えば、図４−１〜図４−２−１４に準ずるが、第２弾性片１１の配置形態は、略第１弾性片１０とは、逆の形態である。このＤ例では、第１弾性片１０と第２弾性体１１とが、サポートＣの貫通孔５の略内線５ａを基点として、分岐基端部１０−１が直線で、均等に、第１弾性片１０と第２弾性片１１が分岐（均等分岐）され、かつ肉厚が、第１弾性片１０＝第２弾性体１の関係であれば、同等な弾性担持力（バランス力）が掛る。一方、肉厚が、第１弾性片１０≧第２弾性体１の関係であれば、不均等な弾性担持力（アンバランス力）であり、第１弾性片１０への負担が掛ることが特徴である。そして、この弾性担持力により、振動限定が図れる。以下、各実施例を説明するが、好ましい一例であり、限定されない。  
【００４８】
そして、この図７−１〜図７−２−１５に示した各実施態様は、前述した、図４−１〜図４−２−１５に示した各実施態様と同じであり、省略する。  
【００４９】
図８−１〜図８−５は、第１・２弾性片１０、１１と、差渡し弾性片１３とでなる振動減衰手段Ｚの台形差込み片Ｚ１、又は方形差込み片Ｚ２を利用し、本体部３に設けた開口３０１、３０２の嵌め合せ孔３０１ａ、３０２ａに着脱自在に設ける構成であり、この振動減衰手段Ｚは、本体部３より高い耐性を備えた、例えば、金属とか、硬性樹脂とかで構成する。そして、この振動減衰手段Ｚの差込片Ｚ１、Ｚ２と孔３０１ａ、３０２ａとの間に隙間Ｈ１、Ｈ２を形成する方法Ｑ１（隙間あり）と、当該間隔Ｈ１、Ｈ２を形成しない方法Ｑ２（隙間なし）がある。  
【００５０】
Ｑ１の方法は、振動減衰手段Ｚに対する大きな荷重に対応でき、また、大きな反発力（大きな弾性力）があり、さらに、大きな撓み代を有する。即ち、強靭である。これに対して、Ｑ２の方法は、Ｑ１の方法に比して、振動減衰手段Ｚに対する荷重、また、反発力（弾性力）、さらに、撓み代等に対して、少し劣るが、取付けの容易化と、耐久性の優位性がある。  
【００５１】
尚、図９−１〜図１０−２は、振動減衰手段Ｚの第１弾性体１０が、扁平環状で、その第２弾性片１１が、この第１弾性体１０の扁平環状の中央に、差渡し設けられた構造である。その他は、前述の図８−１〜図８−５の構造と効果に準ずる。  
【００５２】
尚、図１１−１〜図１１−５は、第２弾性片１１とステーＥとの関係を示したものであり、図１１−１は、横断面において、湾曲形状であり、湾曲による弾発力と、ステーＥとの面接触で、馴染みを考慮した構造である。図１１−２は、横断面において、板形状であり、線接触による弾発力と、ステーＥと線接触を考慮した構造で、差込みの容易化、軽作業化等にある。図１１−３は、横断面において、略烏帽子形状であり、面接触による弾発力と、ステーＥと面接触を考慮した構造で、馴染みを考慮した構造にある。図１１−４は、横断面において、逆湾曲板形状であり、逆湾曲による弾発力と、ステーＥとの略線接触で、馴染みを考慮した構造である。図１１−５は、横断面において、逆烏帽子形状であり、点接触による弾発力と、ステーＥと点接触を考慮した構造で、差込みの容易化、軽作業化等にある。何れも、一例であり、限定されない。  
【００５３】
前述した各構造は、本発明の好ましい一例の説明である。従って、本発明は上述した各実施例に限定されるも
のではなく、発明の趣旨の範囲において構成の一部を変更する構造とか、同じ特徴と効果を達成できる構造、等は、本発明の範疇である。
【符号の説明】
【００５４】
１            頭部      １００        開口部      ２            首部      ２００        段差      ２０１        開口      ２０１ａ      壁面      ３            本体部      ３ａ          上段      ３ｂ          下段      ３ｃ          前方      ３ｄ          後方      ３ｅ          右側      ３ｆ          左側      ３００        外壁      ３０１ａ、３０１ｂ        開口      ３０２ａ、３０２ｂ        開口      ３−１        外側方向      ３−２        内側方向      ５            貫通孔      ５ａ          略内線      ６            フック      １０          第１弾性片      １０ａ        分岐部      １０ｂ        裾部      １０ｃ        頂上部      １０−１      分岐基端部      １１          第２弾性片      １１ａ        分岐部      １１ｂ        弦部      １１ｃ        中心部      １２          差渡し弾性片      Ａ            シート      Ｂ            ブラケット      Ｂ１          内壁      Ｂ２          上側      Ｂ３          開口      Ｂ４          絞り部      ＢＢ          ブラケット      ＢＢ４        絞り部      ＢＢ５        膨出部      Ｃ            サポート      Ｃ１          下方      Ｃ２          上方      Ｃ３          外周面      Ｄ            ヘッドレスト      Ｅ            ステー      Ｅ１          外周面      Ｚ            振動減衰手段      Ｚ１          差込み片      Ｚ２          差込み片      Ｈ１          隙間      Ｈ２          隙間      Ｑ１          隙間Ｈ１、Ｈ２を形成する方法（隙間あり）      Ｑ２          隙間Ｈ１、Ｈ２を形成しない方法（隙間なし）  
【図１−１】
2015193356.tif 000003
【図１−２】
2015193356.tif 000004
【図２−１】
2015193356.tif 000005
【図２−２】
2015193356.tif 000006
【図２−３】
2015193356.tif 000007
【図２−４】
2015193356.tif 000008
【図２−５】
2015193356.tif 000009
【図３−１】
2015193356.tif 000010
【図３−２】
2015193356.tif 000011
【図３−３】
2015193356.tif 000012
【図３−４】
2015193356.tif 000013
【図３−５】
2015193356.tif 000014
【図４−１】
2015193356.tif 000015
【図４−２−１】
2015193356.tif 000016
【図４−２−２】
2015193356.tif 000017
【図４−２−３】
2015193356.tif 000018
【図４−２−４】
2015193356.tif 000019
【図４−２−５】
2015193356.tif 000020
【図４−２−６】
2015193356.tif 000021
【図４−２−７】
2015193356.tif 000022
【図４−２−８】
2015193356.tif 000023
【図４−２−９】
2015193356.tif 000024
【図４−２−１０】
2015193356.tif 000025
【図４−２−１１】
2015193356.tif 000026
【図４−２−１２】
2015193356.tif 000027
【図４−２−１３】
2015193356.tif 000028
【図４−２−１４】
2015193356.tif 000029
【図４−２−１５】
2015193356.tif 000030
【図４−２−１６】
2015193356.tif 000031
【図５−１】
2015193356.tif 000032
【図５−２−１】
2015193356.tif 000033
【図５−２−２】
2015193356.tif 000034
【図５−２−３】
2015193356.tif 000035
【図５−２−４】
2015193356.tif 000036
【図５−２−５】
2015193356.tif 000037
【図５−２−６】
2015193356.tif 000038
【図５−２−７】
2015193356.tif 000039
【図５−２−８】
2015193356.tif 000040
【図５−２−９】
2015193356.tif 000041
【図５−２−１０】
2015193356.tif 000042
【図５−２−１１】
2015193356.tif 000043
【図５−２−１２】
2015193356.tif 000044
【図５−２−１３】
2015193356.tif 000045
【図５−２−１４】
2015193356.tif 000046
【図５−２−１５】
2015193356.tif 000047
【図６−１】
2015193356.tif 000048
【図６−２−１】
2015193356.tif 000049
【図６−２−２】
2015193356.tif 000050
【図６−２−３】
2015193356.tif 000051
【図６−２−４】
2015193356.tif 000052
【図６−２−５】
2015193356.tif 000053
【図６−２−６】
2015193356.tif 000054
【図６−２−７】
2015193356.tif 000055
【図６−２−８】
2015193356.tif 000056
【図６−２−９】
2015193356.tif 000057
【図６−２−１０】
2015193356.tif 000058
【図６−２−１１】
2015193356.tif 000059
【図６−２−１２】
2015193356.tif 000060
【図６−２−１３】
2015193356.tif 000061
【図６−２−１４】
2015193356.tif 000062
【図６−２−１５】
2015193356.tif 000063
【図７−１】
2015193356.tif 000064
【図７−２−１】
2015193356.tif 000065
【図７−２−２】
2015193356.tif 000066
【図７−２−３】
2015193356.tif 000067
【図７−２−４】
2015193356.tif 000068
【図７−２−５】
2015193356.tif 000069
【図７−２−６】
2015193356.tif 000070
【図７−２−７】
2015193356.tif 000071
【図７−２−８】
2015193356.tif 000072
【図７−２−９】
2015193356.tif 000073
【図７−２−１０】
2015193356.tif 000074
【図７−２−１１】
2015193356.tif 000075
【図７−２−１２】
2015193356.tif 000076
【図７−２−１３】
2015193356.tif 000077
【図７−２−１４】
2015193356.tif 000078
【図７−２−１５】
2015193356.tif 000079
【図８−１】
2015193356.tif 000080
【図８−２】
2015193356.tif 000081
【図８−２−１】
2015193356.tif 000082
【図８−３】
2015193356.tif 000083
【図８−４−１】
2015193356.tif 000084
【図８−４−２】
2015193356.tif 000085
【図８−５−１】
2015193356.tif 000086
【図８−５−２】
2015193356.tif 000087
【図９−１】
2015193356.tif 000088
【図９−２】
2015193356.tif 000089
【図１０−１】
2015193356.tif 000090
【図１０−２】
2015193356.tif 000091
【図１１−１】
2015193356.tif 000092
【図１１−２】
2015193356.tif 000093
【図１１−３】
2015193356.tif 000094
【図１１−４】
2015193356.tif 000095
【図１１−５】
2015193356.tif 000096
【図１２】
2015193356.tif 000097